(57)【特許請求の範囲】
【請求項１】
動画の撮影中に静止画の撮影が指示されたとき、指示されたときに取り込まれた画像データを第１の記録媒体に退避させておき、動画の撮影が終了したとき、前記第１の記録媒体に退避させていた画像データに基づいて静止画を生成して前記第１の記録媒体とは異なる第２の記録媒体に記録させる撮影装置において、
動画の撮影中に、静止画の記録先となる前記第２の記録媒体を表す第１のアイコンと、前記第１の記録媒体に画像データを退避させておくことが可能な静止画の枚数を表す第２のアイコンとを並べて表示させるとともに、動画の撮影が終了したとき、前記第１の記録媒体に退避させていた画像データに基づいて生成した静止画を前記第２の記録媒体に記録させていることを表す第３のアイコンを表示させる表示制御手段を備え、
前記表示制御手段は、前記第１の記録媒体に退避された前記画像データのデータ量が上限に達した場合において静止画の撮影が指示されたとき、ユーザに対するメッセージを表示させる
撮影装置。
【請求項２】
前記表示制御手段は、前記第１の記録媒体に画像データを退避させておくことが可能な静止画の枚数を表す、前記枚数と同数の部位から成る前記第２のアイコンを表示させ、静止画の撮影が指示されて画像データを前記第１の記録媒体に退避させる毎に、前記第２のアイコンの前記部位の色を１つずつ変えて表示させる
請求項１に記載の撮影装置。
【請求項３】
前記表示制御手段は、さらに、前記第１の記録媒体に退避させていた画像データに基づいて生成した静止画を前記第２の記録媒体に記録させている間、生成済みの静止画を表示させる
請求項１に記載の撮影装置。
【請求項４】
前記表示制御手段は、前記第１の記録媒体に退避させていた画像データに基づいて生成した複数の静止画を前記第２の記録媒体に記録させている間、生成済みの静止画を順次表示させる
請求項３に記載の撮影装置。
【請求項５】
動画の撮影中に静止画の撮影が指示されたとき、指示されたときに取り込まれた画像データを第１の記録媒体に退避させておき、動画の撮影が終了したとき、前記第１の記録媒体に退避させていた画像データに基づいて静止画を生成して前記第１の記録媒体とは異なる第２の記録媒体に記録させる撮影装置の表示制御方法において、
動画の撮影中に、静止画の記録先となる前記第２の記録媒体を表すアイコンと、前記第１の記録媒体に画像データを退避させておくことが可能な静止画の枚数を表す第２のアイコンとを並べて表示させ、
動画の撮影が終了したとき、前記第１の記録媒体に退避させていた画像データに基づいて生成した静止画を前記第２の記録媒体に記録させていることを表す第３のアイコンを表示させ、
前記第１の記録媒体に退避された前記画像データのデータ量が上限に達した場合において静止画の撮影が指示されたとき、ユーザに対するメッセージを表示させる
ステップを含む表示制御方法。
【請求項６】
動画の撮影中に静止画の撮影が指示されたとき、指示されたときに取り込まれた画像データを第１の記録媒体に退避させておき、動画の撮影が終了したとき、前記第１の記録媒体に退避させていた画像データに基づいて静止画を生成して前記第１の記録媒体とは異なる第２の記録媒体に記録させる撮影装置の表示制御処理をコンピュータに実行させるプログラムにおいて、
動画の撮影中に、静止画の記録先となる前記第２の記録媒体を表すアイコンと、前記第１の記録媒体に画像データを退避させておくことが可能な静止画の枚数を表す第２のアイコンとを並べて表示させ、
動画の撮影が終了したとき、前記第１の記録媒体に退避させていた画像データに基づいて生成した静止画を前記第２の記録媒体に記録させていることを表す第３のアイコンを表示させ、
前記第１の記録媒体に退避された前記画像データのデータ量が上限に達した場合において静止画の撮影が指示されたとき、ユーザに対するメッセージを表示させる
ステップを含む処理をコンピュータに実行させるプログラム。
【発明の詳細な説明】
【技術分野】
【０００１】
本発明は、撮影装置、表示制御方法、プログラムに関し、特に、静止画の生成の元になる画像データが退避され、退避された画像データに基づいて静止画の記録が行われることについて、ユーザが直感的に把握することができるようにした撮影装置、表示制御方法、プログラムに関する。
【背景技術】
【０００２】
近年販売されているビデオカメラの多くには静止画の撮影機能も搭載されている。これにより、ユーザは、動画の撮影中であっても、デジタルスチルカメラを用意したりすることなく、動画の撮影を行っているビデオカメラでそのまま静止画の撮影も行うことができる。
【０００３】
ところで、ビデオカメラにより行われる静止画の記録は、撮像素子の読み出しスピードの制限などもあって、動画の記録用として取り込まれた画像のうちの、静止画の撮影が指示されたタイミングに取り込まれた１フレームをいわゆるキャプチャして行われるだけのものであり、静止画として保存することはできるものの画質はさほどよくない。一般的に、画質のよい動画を記録するためには、取り込まれた信号（データ）に対して動画用のパラメータで規定される処理を行う必要があり、画質のよい静止画を記録するためには、高い解像度を確保する他に、取り込まれた信号（データ）に対して静止画用のパラメータで規定される処理を行う必要がある。
【０００４】
そこで、高解像度の静止画を得つつ、静止画の撮影と動画の撮影とを同時に行うことができるようにした技術が各種提案されており、例えば、特許文献１には、動画の撮影周期のＮ（Ｎ≧２）倍毎に、動画よりも高い解像度を有する撮像信号を出力することによってそれを実現する技術が提案されている。
【特許文献１】特開２００２−４４５３１号公報
【発明の開示】
【発明が解決しようとする課題】
【０００５】
しかしながら、特許文献１に開示されているような技術によれば、当然、高い解像度の撮像信号が出力されていない残りのＮ−１フレーム期間に高解像度な静止画を得ることができないことから、動画の撮影中のどのようなタイミングでも、高解像度な静止画を得ることができる技術が求められる。
【０００６】
例えば、そのような技術として、動画の撮影中に静止画の撮影が指示されたとき、指示されたときに取り込まれたそのままの、動画の処理がまだ施されていない原画像データをメモリに一時的に退避させておき、動画の撮影が終了したタイミングで、メモリに退避させていた原画像データに基づいて静止画を生成してメモリカードなどに記録するようなことが考えられるものの、この技術によれば、ユーザが静止画の撮影を指示した直後に静止画が記録されるわけではないから、静止画の撮影がユーザにより指示されたときに、静止画の記録があとから行われることをユーザに知らせる必要がある。すなわち、静止画の撮影を指示したタイミングと、メモリカードに実際に静止画が記録されるタイミングとにタイムラグがあることにより、正しく操作が行われているのかをユーザは不安に感じることがある。
【０００７】
また、通常、原画像データの一時的な保存先となるメモリには容量の制限があるから、そのこともユーザに知らせる必要がある。
【０００８】
仮に、何の対処もなされていない場合、動画の撮影中に何回も静止画の撮影を行ったにもかかわらず、実際には、撮影回数より少ない、画像データを退避させておくことが可能な数の静止画しかメモリカードに記録されていないといったことも起こりうる。また、動画の撮影中以外のときにはメモリカードの容量一杯まで静止画を撮影することができる場合、動画の撮影中にだけ静止画の撮影枚数に制限が課せられることになり、ユーザにとってわかりにくい。
【０００９】
本発明はこのような状況に鑑みてなされたものであり、静止画の生成の元になる画像データが退避され、退避された画像データに基づいて静止画の記録が行われることについて、ユーザが直感的に把握することができるようにするものである。
【課題を解決するための手段】
【００１０】
本発明の一側面の撮影装置は、動画の撮影中に静止画の撮影が指示されたとき、指示されたときに取り込まれた画像データを第１の記録媒体に退避させておき、動画の撮影が終了したとき、前記第１の記録媒体に退避させていた画像データに基づいて静止画を生成して前記第１の記録媒体とは異なる第２の記録媒体に記録させる撮影装置において、動画の撮影中に、静止画の記録先となる前記第２の記録媒体を表す第１のアイコンと、前記第１の記録媒体に画像データを退避させておくことが可能な静止画の枚数を表す第２のアイコンとを並べて表示させるとともに、動画の撮影が終了したとき、前記第１の記録媒体に退避させていた画像データに基づいて生成した静止画を前記第２の記録媒体に記録させていることを表す第３のアイコンを表示させる表示制御手段を備え、前記表示制御手段は、前記第１の記録媒体に退避された前記画像データのデータ量が上限に達した場合において静止画の撮影が指示されたとき、ユーザに対するメッセージを表示させる。
【００１１】
前記表示制御手段は、前記第１の記録媒体に画像データを退避させておくことが可能な静止画の枚数を表す、前記枚数と同数の部位から成る前記第２のアイコンを表示させ、静止画の撮影が指示されて画像データを前記第１の記録媒体に退避させる毎に、前記第２のアイコンの前記部位の色を１つずつ変えて表示させることができる。
【００１２】
前記表示制御手段には、さらに、前記第１の記録媒体に退避させていた画像データに基づいて生成した静止画を前記第２の記録媒体に記録させている間、生成済みの静止画を表示させることができる。
【００１３】
前記表示制御手段には、前記第１の記録媒体に退避させていた画像データに基づいて生成した複数の静止画を前記第２の記録媒体に記録させている間、生成済みの静止画を順次表示させることができる。
【００１４】
本発明の一側面の表示制御方法またはプログラムは、動画の撮影中に静止画の撮影が指示されたとき、指示されたときに取り込まれた画像データを第１の記録媒体に退避させておき、動画の撮影が終了したとき、前記第１の記録媒体に退避させていた画像データに基づいて静止画を生成して前記第１の記録媒体とは異なる第２の記録媒体に記録させる撮影装置の表示制御方法、またはその表示制御処理をコンピュータに実行させるプログラムにおいて、動画の撮影中に、静止画の記録先となる前記第２の記録媒体を表すアイコンと、前記第１の記録媒体に画像データを退避させておくことが可能な静止画の枚数を表す第２のアイコンとを並べて表示させ、動画の撮影が終了したとき、前記第１の記録媒体に退避させていた画像データに基づいて生成した静止画を前記第２の記録媒体に記録させていることを表す第３のアイコンを表示させ、前記第１の記録媒体に退避された前記画像データのデータ量が上限に達した場合において静止画の撮影が指示されたとき、ユーザに対するメッセージを表示させるステップを含む。
【００１５】
本発明の一側面においては、動画の撮影中に、静止画の記録先となる第２の記録媒体を表すアイコンと、第１の記録媒体に画像データを退避させておくことが可能な静止画の枚数を表す第２のアイコンとが並べて表示されるとともに、動画の撮影が終了したとき、第１の記録媒体に退避させていた画像データに基づいて生成した静止画を第２の記録媒体に記録させていることを表す第３のアイコンが表示される。さらに、第１の記録媒体に退避された画像データのデータ量が上限に達した場合において静止画の撮影が指示されたとき、ユーザに対するメッセージが表示される。
【発明の効果】
【００１６】
本発明の一側面によれば、静止画の生成の元になる画像データが退避され、退避された画像データに基づいて静止画の記録が行われることについて、ユーザは直感的に把握することができる。
【発明を実施するための最良の形態】
【００２０】
以下、本発明の実施の形態について図を参照して説明する。
【００２１】
図１は、本発明の一実施形態に係る撮影装置１の構成例を示すブロック図である。
【００２２】
撮影装置１は、レンズ部１１、撮像部１２、画像処理部１３、動画処理部１４、静止画処理部１５、表示部１６、記録部１７、および制御部１８から構成され、これらの構成によって動画の撮影と静止画の撮影を行う。すなわち、撮影装置１は動画の記録と静止画の記録に適した２つの回路構成（画像処理部）をそれぞれ有する装置ではなく、画像処理部１３の１つの構成によって、動画の記録のための信号処理と静止画の記録のための信号処理を行う装置である。
【００２３】
例えば、動画の撮影が行われている最中に静止画の撮影が指示された場合、その指示がされたタイミングに撮像部１２によって得られた信号は分岐され、一方は動画用の処理が施されて記録されるとともに、他方は、そのまま（後述するように、適宜、圧縮処理が施された後）、RAM(Random Access Memory)などのメモリに一時的に記録される。
【００２４】
その後、動画の撮影の終了が指示され、動画の撮影が休止している状態になったとき、一時的に記録されていた信号は画像処理部１３に供給されて静止画用の処理が施され、１枚の静止画として記録される。画像処理部１３においては、動画用の処理が行われるときと、静止画用の処理が行われるときとで、処理の内容を規定するパラメータが動画に適したものと静止画に適したものとで切り替えられる。
【００２５】
このように、動作の撮影中に静止画の記録が指示された場合、動画の撮影によって得られた信号を静止画の記録にも用いるためにいわば退避させ、動画の処理が行われていない間に、退避させていた原信号に基づいて静止画の処理が行われることにより、動画専用の画像処理と静止画専用の画像処理を１つの構成（画像処理部１３）で行うことができ、動画専用の画像処理を行うものと静止画専用の画像処理を行うものとの２つの構成を設ける場合に較べて、回路規模を小さくすることができ、また、消費電力を抑えることもできる。さらに、コストを削減することができる。
【００２６】
また、動画を記録するための画像処理のタイミングと、静止画を記録するための画像処理のタイミングをずらすことによって、動画記録に用いる信号に対しては動画専用の処理を、静止画記録に用いる信号（一時的に退避させていた信号）に対しては静止画専用の処理をそれぞれ施すことができ、動画の画質を損なうことなく維持しながら、静止画も品質の高いものを得ることが可能となる。
【００２７】
撮影装置１によって行われる一連の処理についてはフローチャートを参照して後述する。
【００２８】
レンズ部１１は、被写体からの光を集光するレンズやフォーカス（ピント）の調整をするためのフォーカスレンズ、絞り等の光学系のモジュールから構成される。レンズ部１１を構成するレンズにより集光された被写体からの光は撮像部１２の撮像素子２１に入射される。
【００２９】
撮像部１２は、撮像素子２１、CDS(Correlated Double Sampling)回路２２、A/D(Analog/Digital)変換回路２３、タイミングジェネレータ（TG）２４、シグナルジェネレータ（SG）２５から構成される。
【００３０】
撮像素子２１は、タイミングジェネレータ２４から供給されるタイミング信号にしたがって、プログレッシブ方式、もしくはインタレース方式で１／６０秒毎に走査（動画の撮影周期にあわせた走査）を行うことにより、レンズ部１１を介して入射する被写体からの光を受光して光電変換を行い、受光量に応じた電気信号としてのアナログの画像信号をCDS回路２２に出力する。撮像素子２１は、例えば、水平方向に２３０４画素、垂直方向に１７２８画素などの、一般的な動画の解像度以上の解像度（SD(Standard Definition)、HD(High Definition)フォーマット以上の解像度）をもつCCD(Charge Coupled Devices)やCMOS(Complementary Metal Oxide Semiconductor)により構成される。
【００３１】
CDS回路２２は、撮像素子２１から供給された信号のノイズ成分を相関２重サンプリングを施すことによって除去し、処理を施すことによって得られた信号をA/D変換回路２３に出力する。
【００３２】
A/D変換回路２３は、CDS回路２２からのアナログの画像信号をA/D変換し、その結果得られるディジタル信号の画像データを後段に出力する。A/D変換回路２３から出力される信号は、動画用、静止画用などのそのときの用途にあわせて後から適正な処理を行うことができる段階の信号（まだ絵作りが行われていない段階のRAW信号）であるから、以下、A/D変換回路２３から出力される信号を原信号という。
【００３３】
A/D変換回路２３から出力された原信号は画像処理部１３のフィルタ処理・ガンマ補正回路３１に供給される。また、記録部１７のスイッチ７１が接続状態にあるとき、A/D変換回路２３から出力された原信号は記録部１７にも供給される。後述するように、動画の撮影中に静止画の撮影がユーザにより指示されたとき、制御部１８による制御にしたがってスイッチ７１が接続状態になる。
【００３４】
タイミングジェネレータ２４は、シグナルジェネレータ２５から供給された水平リセット信号と垂直リセット信号に基づいて水平駆動信号と垂直駆動信号をそれぞれ発生し、それらを撮像素子２１に出力する。これにより、各画素の信号が、水平駆動信号と垂直駆動信号にしたがって撮像素子２１から読み出される。
【００３５】
シグナルジェネレータ２５は、水平リセット信号と垂直リセット信号を発生し、それらの信号をタイミングジェネレータ２４に出力する。
【００３６】
画像処理部１３は、フィルタ処理・ガンマ補正回路３１、色差分離マトリックス回路３２、および解像度変換回路３３から構成される。
【００３７】
フィルタ処理・ガンマ補正回路３１は、撮像部１２のA/D変換回路２３から供給された信号に対してノイズリダクション処理、ホワイトバランス調整処理、ガンマ補正処理などを制御部１８により設定されたパラメータにしたがって施し、得られた信号を色差分離マトリックス回路３２に出力する。
【００３８】
色差分離マトリックス回路３２は、フィルタ処理・ガンマ補正回路３１から供給された信号に対して色差分離マトリックス処理を制御部１８により設定されたパラメータにしたがって施し、用途に応じた輝度信号、色差信号を生成して、生成したそれらの信号を解像度変換回路３３に出力する。
【００３９】
解像度変換回路３３は、色差分離マトリックス回路３２から供給された信号に基づいて所定のサイズの画像を制御部１８により設定されたパラメータ（解像度）にしたがって生成し、生成した画像の信号を動画処理部１４の動画圧縮処理回路４１、静止画処理部１５のIP変換回路５１、表示部１６の表示制御回路６１、および記録部１７のメモリI/F７３に出力する。
【００４０】
例えば、動画を記録するとき、解像度変換回路３３は、色差分離マトリックス回路３２から供給された信号に基づいて、解像度を低解像度化することによってDV規格に準拠したサイズの画像の信号を生成し、生成した信号を動画圧縮処理回路４１に出力する。動画を記録するときに解像度変換回路３３から出力された信号は表示部１６の表示制御回路６１にも供給され、取り込み画像の表示に用いられる。
【００４１】
また、色差分離マトリックス回路３２から供給された信号が、メモリ７４に一時的に退避させていた原信号であり、その原信号がインタレース方式の信号である場合（撮像素子２１の走査方式がインタレース方式である場合）、１枚の静止画を記録するにはプログレッシブ方式の信号とする必要があるから、解像度変換回路３３は、生成した所定のサイズの画像の信号をIP変換を行うIP変換回路５１に出力する。一方、解像度変換回路３３は、色差分離マトリックス回路３２から供給された原信号がプログレッシブ方式の信号である場合（撮像素子２１の走査方式がプログレッシブ方式である場合）、生成した所定のサイズの画像の信号をそのままメモリI/F７３に出力する。
【００４２】
これらのフィルタ処理・ガンマ補正回路３１、色差分離マトリックス回路３２、および解像度変換回路３３に対しては、撮像部１２から直接供給された原信号を対象として動画用の処理を施すときと、メモリ７４に一時的に退避させ、画像処理部１３に対する入力として戻すことによって供給された原信号を対象として静止画用の処理を施すときとで異なるパラメータが制御部１８により設定され、設定されたパラメータにより規定される異なる処理が行われる。撮像部１２から供給された原信号を対象とするときには動画用のパラメータが設定され、メモリ７４に一時的に退避させていた原信号を対象とするときには静止画用のパラメータが設定される。
【００４３】
なお、画像処理部１３には、図１に示される回路の他に、エフェクトをかける回路、シャープネスの調整を行う回路、検波値を検出する回路、手振れ補正に用いる切り出し範囲を制御する回路などの各種の信号処理回路が設けられる。
【００４４】
動画処理部１４は、動画圧縮処理回路４１、および記録媒体４２（以下、適宜、記録媒体Ａという）から構成される。
【００４５】
動画圧縮処理回路４１は、画像処理部１３の解像度変換回路３３から供給された信号に対してDV(Digital Video)規格、またはMPEG(Moving Picture Experts Group)規格に準拠した動画符号化処理を施し、得られた動画符号化データを記録媒体Ａに記録させる。
【００４６】
記録媒体Ａは、撮影装置１に対して着脱可能なテープ、DVD(Digital Versatile Disc)などであったり、撮影装置１に内蔵されるハードディスクなどの固定式の記録媒体である。記録媒体Ａには、動画圧縮処理回路４１から供給された動画符号化データが記録される。記録媒体Ａに記録された動画符号化データは、動画圧縮処理回路４１により読み出されて撮影装置１上で再生されたり、パーソナルコンピュータなどの外部の機器に転送されたりする。
【００４７】
静止画処理部１５は、IP変換回路５１、および静止画圧縮回路５２から構成される。
【００４８】
IP変換回路５１は、解像度変換回路３３から供給されたインタレース方式の信号をプログレッシブ方式の信号に変換し、得られたプログレッシブ方式の信号をメモリI/F７３に出力する。上述したように、撮像素子２１の走査方式がインタレース方式であり、静止画を記録するときに、解像度変換回路３３からインタレース方式の信号が供給されてくる。
【００４９】
静止画圧縮回路５２は、解像度変換回路３３からメモリI/F７３に出力された信号（輝度・色差信号）、または、IP変換回路５１からメモリI/F７３に出力された信号に対してJPEG(Joint Photographic Expert Group)方式などにしたがって圧縮処理を施し、得られた静止画符号化データをメモリI/F７３を介してメモリ７４に記録させる。原信号から生成された静止画符号化データは、例えば、メモリ７４に一度記録されてから記録媒体７６に転送され、記録される。
【００５０】
表示部１６は、表示制御回路６１、およびディスプレイ６２から構成される。
【００５１】
表示制御回路６１は、動画の撮影時、撮像素子２１による取り込み画像を解像度変換回路３３からの出力に基づいてディスプレイ６２に表示させ、記録媒体Ａに記録されている動画の再生時、動画圧縮処理回路４１から供給された信号に基づいて、記録済みの動画をディスプレイ６２に表示させる。
【００５２】
また、表示制御回路６１は、原信号に基づいて生成され、メモリ７４に記録されている静止画や記録媒体７６に記録されている静止画の再生時、静止画圧縮回路５２により伸張され、メモリI/F７３を介して供給された信号に基づいて、それらの静止画をディスプレイ６２の解像度にあわせて表示させる。
【００５３】
さらに、表示制御回路６１は、後に詳述するように、動画の撮影中、静止画の記録先を表すアイコンと、静止画の記録可能枚数（メモリ７４に原信号を退避させておくことが可能な静止画の枚数）を表す表示とをディスプレイ６２の所定の位置に並べて表示させたり、動画の撮影が終了されたとき、メモリ７４に退避されている原信号に基づいて静止画を生成し、生成した静止画を記録媒体７６に記録させていることを表す表示をディスプレイ６２の所定の位置に表示させたりする。
【００５４】
ディスプレイ６２はLCD(Liquid Crystal Display)などより構成され、表示制御回路６１から供給された信号に基づいて動画、静止画などを表示する。
【００５５】
記録部１７は、スイッチ７１，７２、メモリI/F７３、メモリ７４、原信号圧縮処理回路７５、および記録媒体７６（以下、適宜、記録媒体Ｂという）から構成される。
【００５６】
スイッチ７１は、制御部１８による制御にしたがって接続状態となり、そのとき供給された原信号を導通させる。
【００５７】
動画の撮影が行われている最中に静止画の記録がユーザにより指示されたとき、制御部１８によってスイッチ７１が接続状態とされ、このとき、撮像部１２と画像処理部１３の間で分岐された原信号は、メモリ７４への経路となるスイッチ７２と原信号圧縮処理回路７５に供給される。また、原信号がメモリ７４に一時的に記録されており、動画の処理が休止している状態にあるときも制御部１８によってスイッチ７１が接続状態とされ、このとき、メモリ７４に一時的に記録されていた原信号は、画像処理部１３に対する入力としてスイッチ７１を介して画像処理部１３の先頭に供給される。
【００５８】
スイッチ７２は、制御部１８による制御にしたがって端子ａと端子ｂのいずれかに接続され、そのとき供給された原信号を導通させる。
【００５９】
メモリI/F７３はメモリ７４のインターフェースであり、メモリ７４に対するデータの書き込み、メモリ７４からのデータの読み出しを行う。
【００６０】
メモリ７４はRAMなどにより構成され、メモリI/F７３による制御にしたがって原信号などを一時的に記録する。メモリ７４には各種のデータを記録するための複数の領域が形成される。
【００６１】
図２は、メモリ７４に形成される領域の例を示す図である。
【００６２】
図２に示されるように、メモリ７４には、静止画処理ワークエリア、領域Ａ1乃至Ａ3、領域Ｂ1乃至Ｂ3が形成される。
【００６３】
静止画処理ワークエリアは、IP変換回路５１がIP変換を行ったり、静止画圧縮回路５２が圧縮処理や伸張処理を行ったりするときに用いられる領域である。
【００６４】
領域Ａ1乃至Ａ3は、原信号に基づいて生成された静止画符号化データが一時的に記録される領域である。領域Ａ1乃至Ａ3のそれぞれには、例えば領域Ｂ1乃至Ｂ3のそれぞれに記録されている原信号に基づいて生成された静止画符号化データが記録される。
【００６５】
領域Ｂ1乃至Ｂ3は原信号が記録される領域である。すなわち、動画の撮影中に静止画の記録が指示されたときの原信号の退避場所が、この領域Ｂ1乃至Ｂ3となる。動画の処理が休止している状態にあるとき、領域Ｂ1乃至Ｂ3に記録されている原信号が順次読み出されて静止画の生成に用いられる。
【００６６】
このように、メモリ７４には、原信号を記録する領域が複数形成されており、領域Ｂ1には１回目の指示がされたときの原信号が記録され、領域Ｂ2には２回目の指示がされたときの原信号が記録される。また、領域Ｂ3には３回目の指示がされたときの原信号が記録される。すなわち、この例においては、ユーザは、１回の動画の撮影中に、３回まで、静止画の記録を行うことができるものとされている。
【００６７】
なお、撮像素子２１の走査方式がインタレース方式である場合、IP変換によって１枚の静止画を生成するためには２フィールド分の原信号（ODD/EVEN）が必要であり、このとき、例えば、２フィールド分の原信号は連続した領域に記録される。
【００６８】
図１の説明に戻り、原信号圧縮処理回路７５は、制御部１８による制御にしたがって、スイッチ７１を介して供給された原信号を圧縮し、圧縮した原信号をスイッチ７２を介してメモリI/F７３に出力する。また、原信号圧縮処理回路７５は、圧縮された原信号がメモリ７４に記録されている場合、メモリI/F７３により読み出され、スイッチ７２を介して供給された圧縮済みの原信号を伸張し、伸張して得られた原信号をスイッチ７１を介して画像処理部１３に出力する。
【００６９】
このように、撮像部１２の出力である原信号に対しては、適宜、圧縮が施される。原信号圧縮処理回路７５により圧縮された原信号がスイッチ７２により選択され、静止画の記録に用いる信号として記録されることによってメモリ７４の容量を効率的に用いることができる。
【００７０】
なお、原信号圧縮処理回路７５により圧縮された原信号、伸張された原信号も、動画用、静止画用などのそのときの用途にあわせて後から適正な処理を行うことができる段階の信号であり、動画用の絵作りのための処理（画像処理部１３による画像処理）や、静止画用の絵作りのための処理が施された信号ではないから、圧縮されずにメモリ７４に退避させていた原信号と同様に「原信号」である。
【００７１】
記録媒体Ｂは、例えば、フラッシュメモリを内蔵する、撮影装置１に対して着脱可能なメモリカードで構成される。記録媒体Ｂには、原信号に基づいて生成された静止画符号化データが記録される。
【００７２】
制御部１８は、システム制御回路８１、およびメモリ８２から構成される。制御部１８と図１の他の各部は、図示せぬ信号線によって接続される。
【００７３】
システム制御回路８１はマイクロコンピュータなどよりなり、制御部１８に接続される外部インターフェース（図示せず）により受け付けられたユーザのボタン入力にしたがって、システム全体の動作を制御する。外部インターフェースにおいては、動画記録ボタンが押される毎に動画の記録の開始／終了が交互に受け付けられ、静止画記録ボタンが押される毎に静止画の記録が受け付けられる。また、外部インターフェースにおいては、各種のボタンを用いてユーザにより行われる画質の設定、エフェクトの設定などのユーザ操作が受け付けられるほか、ジャイロセンサー（図示せず）からの入力も受け付けられる。ジャイロセンサーからの入力に応じて、システム制御回路８１においては撮影時の手振れ量の検出などが行われる。
【００７４】
なお、このシステム制御回路８１が例えば２つのマイクロコンピュータにより構成され、一方のマイクロコンピュータにより全体の撮影動作が制御され、他方のマイクロコンピュータにより、ユーザによる入力の受け付けや、ディスプレイ６２の表示などのユーザインタフェースに関する動作が制御されるようにしてもよい。
【００７５】
メモリ８２は、システム制御回路８１が各部を制御する上で必要な撮影条件などの各種のデータを記録する。
【００７６】
ここで、図３を参照して、システム制御回路８１の動作について説明する。図３において、横方向が時間方向を表す。
【００７７】
例えば、時刻ｔ1において動画記録ボタンがユーザにより押され、動画の記録の開始が指示されたとき、システム制御回路８１は、撮像部１２により撮像を開始させ、動画用のパラメータを設定して画像処理部１３の各部に撮像部１２の出力である原信号を処理させる。また、システム制御回路８１は、動画処理部１４を制御し、画像処理部１３の処理結果を符号化して得られた動画符号化データを記録媒体Ａに記録させる。
【００７８】
このような記録媒体Ａへの動画の記録を行っている最中に、点線矢印で示されるようなタイミングで静止画記録ボタンがユーザにより押され、静止画の記録が指示されたとき、システム制御回路８１は、動画の記録を続けさせるとともに、状態Ｓ1として示されるように、圧縮処理を必要に応じて行わせて、撮像部１２の出力である原信号の取り込みを記録部１７に行わせる（メモリ７４に一時的に退避させる）。
【００７９】
また、このとき、システム制御回路８１は、撮影条件を制御部１８内のメモリ８２に保存させる。撮影条件は、絞り値やズーム位置などの、いま行われている動画の撮影の条件である。
【００８０】
原信号の取り込みと撮影条件の保存は、静止画の記録が指示される毎に行われる。図３の例においては、時刻ｔ2，ｔ3，ｔ4のそれぞれのタイミングで静止画の記録が指示されている。
【００８１】
時刻ｔ5において動画記録ボタンがユーザにより押され、動画の記録の終了が指示されたとき、システム制御回路８１は、それまで行っていた動画の処理を停止し、時刻ｔ6において、１枚目の静止画の処理を開始する。すなわち、システム制御回路８１は、状態Ｓ2として示されるように、静止画の処理のための初期設定を行う。
【００８２】
例えば、システム制御回路８１は、初期設定として、静止画に適した処理が施されるように、メモリ８２に保存しておいた撮影条件などに基づいて決定した静止画用のパラメータを画像処理部１３の各部に設定する。また、システム制御回路８１は、処理対象が動画のときと静止画のときとで切り換える必要のある、輪郭強調の度合いの設定などの切り換えも行う。さらに、システム制御回路８１は、原信号の伸張処理やIP変換が必要である場合、それらの処理が行われるような設定を行う。
【００８３】
初期設定が終了したとき、システム制御回路８１は、状態Ｓ3として示されるように、スイッチ７１を接続状態にするなどして、メモリ７４に一時的に退避させていた原信号を画像処理部１３の先頭に供給させ、状態Ｓ4として示されるように、画像処理部１３の各部に静止画用の画像処理を順次行わせる。画像処理部１３により処理が施されることによって得られた静止画の信号は、静止画処理部１５などを介してメモリ７４の静止画処理ワークエリアに保存される。
【００８４】
システム制御回路８１は、状態Ｓ5として示されるように、メモリ７４の静止画処理ワークエリアに保存された信号に基づいて、適宜、IP変換や静止画の圧縮などを静止画処理部１５に行わせる。静止画処理部１５により生成されたデータは、静止画符号化データとしてメモリ７４に記録される。このように、１枚の静止画の処理は、順次、パイプライン的に効率よく行われる。
【００８５】
原信号に基づいて全ての静止画を生成してからまとめて記録媒体Ｂに記録する場合、生成された静止画は、他の静止画が全て生成されるまでメモリ７４に保存される。
【００８６】
１枚目の静止画の処理が終了したとき、時刻ｔ7において、システム制御回路８１は、２枚目の静止画の処理として１枚目の静止画の処理と同様の処理を開始し、その２枚目の静止画の処理が終了したとき、３枚目の静止画の処理として同様の処理を時刻ｔ8において開始する。
【００８７】
３枚目の静止画の処理、すなわち、全ての静止画の処理が終了したとき、システム制御回路８１は、時刻ｔ9において、メモリ７４に保存しておいた３枚全ての静止画を記録媒体Ｂに一括して記録させる。
【００８８】
例えば、静止画を記録媒体Ｂに記録させることが終了したとき、システム制御回路８１は、メモリ７４に記録させていた原信号を消去し、新たな原信号を記録することができるようにする。
【００８９】
撮影装置１の各部に対しては、以上のような制御が制御部１８により行われる。
【００９０】
次に、以上のような動作が行われているときのディスプレイ６２の画面表示について図４を参照して説明する。図４の上段に示される動作のタイムチャートは、図３の上段に示されるタイムチャートと同じものである。
【００９１】
時刻ｔ1において動画記録ボタンがユーザにより押され、動画の記録の開始が指示されたとき、ディスプレイ６２には取り込み画像が表示される。これにより、ユーザは、レンズ１１により取り込まれ、記録媒体Ａに記録されている動画を確認することができる。
【００９２】
また、動画の記録中、ディスプレイ６２には、取り込み画像に重ねて、静止画の記録先を表すアイコンと撮影可能枚数を表すアイコンが並べて、画面の右上などの所定の位置に表示される。
【００９３】
図５は、動画の記録中に表示されるアイコンの例を示す図である。
【００９４】
記録先表示アイコン１０１は、静止画の記録先である記録媒体Ｂを表すアイコンであり、図５の例においてはメモリカードを表すものとされている。
【００９５】
３つ並べて表示されている四角形の撮影可能枚数表示アイコン１０２は、動画記録中の静止画の撮影可能枚数が３枚であることを表すアイコンである。撮影可能枚数表示アイコン１０２は、静止画の記録が指示され、原信号をメモリ７４に退避させることが行われる毎に１つずつ色を変えて表示され、これにより、ユーザが残りの撮影可能枚数を確認することができるようになされている。
【００９６】
図６は、撮影可能枚数表示アイコン１０２の表示の遷移の例を示す図である。
【００９７】
例えば、動画の撮影が開始されてから最初の静止画の記録が指示されたとき（図３の時刻ｔ2）、図６の上段に示されるように、３つ並べて表示される撮影可能枚数表示アイコン１０２のうちの左端に表示されているものがそれまで表示されていた色とは異なる色で表示され、それにより、１枚目の記録（正確には、記録媒体Ｂへの静止画の記録は動画の撮影終了後に行われるから、メモリ７４への退避）が終了したことが表される。
【００９８】
例えば、赤色に近い、オレンジ色などによって撮影可能枚数表示アイコン１０２が表示され、それにより、記録に近い処理が行われたことが表される。動画の記録中にディスプレイ６２に表示される「REC」の文字や、動画の記録を開始するときに操作される動画記録ボタンに付されるマークなどは、一般に、赤色で示されることが多く、記録までは終了していないものの、それに近い原信号の退避が行われたことがオレンジ色により表される。
【００９９】
２回目の静止画の記録が指示されたとき（時刻ｔ3）、図６の白抜き矢印Ａ1の先に示されるように、３つ並べて表示される撮影可能枚数表示アイコン１０２のうちの中央に表示されているものもそれまで表示されていた色とは異なる色で表示され、それにより、２枚目の記録が終了したことが表される。
【０１００】
３回目の静止画の記録が指示されたとき（時刻ｔ4）も同様に、図６の白抜き矢印Ａ2の先に示されるように、３つ並べて表示される撮影可能枚数表示アイコン１０２のうちの右端に表示されているものもそれまで表示されていた色とは異なる色で表示され、それにより、３枚目の記録が終了したことが表される。
【０１０１】
図４の説明に戻り、以上のようなアイコンが所定の位置に表示されるディスプレイ６２には、そのとき取り込まれている画像が、動画の記録の終了がユーザによって指示され、静止画の処理が開始される時刻ｔ6まで表示される。
【０１０２】
時刻ｔ6から時刻ｔ7までの１枚目の静止画の処理（図３の状態Ｓ2からＳ5までの処理）が行われている間、ディスプレイ６２には、例えば、静止画の処理が開始される直前に取り込まれた１フレームの取り込み画像が静止画として表示される。
【０１０３】
また、ディスプレイ６２の右上などの所定の位置には、その１フレームの取り込み画像に重ねて、メモリ７４に退避させていた原信号に基づいて生成した静止画を記録媒体Ｂに記録させていることを表すインジケータが表示される。
【０１０４】
図７は、インジケータの表示の遷移の例を示す図である。
【０１０５】
図７に示されるように、インジケータ１０３は、それまで撮影可能枚数表示アイコン１０２が表示されていた位置に記録先表示アイコン１０１と並べて表示される。インジケータ１０３の表示は、１本のバーが表示されている図７の上段の状態から開始され、白抜き矢印Ａ1乃至Ａ5のそれぞれの先に示されるように、バーの数が増えていくように遷移する。白抜き矢印Ａ5の先に示される図７の下段の状態になったとき、インジケータ１０３の表示は上段の状態に戻り、静止画の処理が終了するまでそのような表示が繰り返される。
【０１０６】
時刻ｔ7から時刻ｔ8までの２枚目の静止画の処理が行われている間、ディスプレイ６２には、例えば、時刻ｔ7までに生成された１枚目の静止画が表示される。また、時刻ｔ8から時刻ｔ9までの３枚目の静止画の処理が行われている間、ディスプレイ６２には、例えば、時刻ｔ8までに生成された２枚目の静止画が表示される。
【０１０７】
時刻ｔ7から時刻ｔ8までの２枚目の静止画の処理が行われている間と時刻ｔ8から時刻ｔ9までの３枚目の静止画の処理が行われている間にも、ディスプレイ６２には、そのとき表示されている静止画に重ねて、図７に示されるようなインジケータ１０３が表示される。
【０１０８】
時刻ｔ9において３枚目の静止画の処理が終了したとき、内部の処理としては１枚目の静止画から順に記録媒体Ｂに書き込む処理が開始されるが、時刻ｔ31までの間、ディスプレイ６２には、例えば、時刻ｔ9までに生成された３枚目の静止画が表示される。
【０１０９】
原信号に基づいて生成された生成済みの静止画が順次表示された後、ディスプレイ６２には取り込み画像が表示される。動画の撮影が指示されたとき、同様の表示が再度行われる。
【０１１０】
図８および図９は、ディスプレイ６２に表示される画面の具体例を示す図である。
【０１１１】
図８の左端に示される画面は動画の記録中の画面である。上述したように、動画の記録中、ディスプレイ６２には取り込み画像がその全面に表示され、取り込み画像に重ねて、記録先表示アイコン１０１と撮影可能枚数表示アイコン１０２が並べて表示される。図８の左端の画面においては、記録先表示アイコン１０１と撮影可能枚数表示アイコン１０２が右上方に表示されている。撮影可能枚数表示アイコン１０２の色は３つともが色が変えられる前の色で表示されており、静止画の撮影がまだ行われていないものとされている。
【０１１２】
また、図８の左端の画面においては、その左上にバッテリの持ち時間である「１２３min」の文字が表示され、中央上方に動画の撮影中（記録中）であることを表す「REC」の文字が例えば赤色で表示されている。画面の右上の記録先表示アイコン１０１と撮影可能枚数表示アイコン１０２の上にはテープの記録位置を表す「１：１２：３４」の数字が表示されている。さらに、画面の右下には各種のツールを選択するときに操作されるツールボタン１１３が表示されている。
【０１１３】
図８の左端の画面が表示されている状態で撮影装置１の筐体表面に設けられている静止画記録ボタンをユーザが半押ししたとき、白抜き矢印Ａ1の先に示されるように、ディスプレイ６２には、それまで表示されていた各種の情報に加えて、静止画の撮影に関する情報が表示される。
【０１１４】
白抜き矢印Ａ1の先に示される画面には、静止画の記録先のフォルダを表すアイコン１１１と、記録される静止画の画質を表すアイコン１１２がそれぞれ表示されている。このように、ユーザが静止画の撮影を行おうとしているときに、アイコン１１１やアイコン１１２などの静止画の撮影に関する情報が表示される。
【０１１５】
白抜き矢印Ａ1の先に示される画面が表示されている状態（静止画記録ボタンを半押ししている状態）でユーザが静止画記録ボタンを深押ししたとき、白抜き矢印Ａ2の先に示されるように、記録先表示アイコン１０１と撮影可能枚数表示アイコン１０２の上には「CAPTURE」の文字が表示され、これにより、ユーザによる操作に応じて原信号の退避が行われたことが表される。
【０１１６】
原信号の退避が終了したとき、白抜き矢印Ａ3の先に示されるように、３つ並べて表示される撮影可能枚数表示アイコン１０２のうちの左端のものの色が変えて表示される。なお、図８のそれぞれの画面に示されている車の絵は取り込み画像（動画）を表す。
【０１１７】
例えば、以上のようにして１枚の静止画の記録が行われた状態で動画の撮影を終了することが指示されたとき、図９の左側の画面に示されるように、「REC」の文字が表示されていた位置にはスタンバイ（撮影待機中）であることを表す「STBY」の文字が表示されるとともに、記録先表示アイコン１０１の隣にはインジケータ１０３が表示される。また、図９の左側の画面においては、ほぼ中央に「静止画処理中です」のメッセージ１１４が表示され、静止画の処理が行われていることがユーザに通知される。
【０１１８】
静止画の記録が終了したとき、図９の右側の画面に示されるように、インジケータ１０３が表示されていた位置には数字が表示される。図９の右側の画面においては「２３４」の数字が記録先表示アイコン１０１の隣に表示されており、残り２３４枚の静止画を記録することができるだけの容量が記録媒体Ｂにはあることが示されている。
【０１１９】
このように、動画の記録を行っている最中、ディスプレイ６２には記録先表示アイコン１０１と撮影可能枚数表示アイコン１０２が表示され、静止画の記録が行われる毎に撮影可能枚数表示アイコン１０２の色が変えて表示されるため、ユーザは、動画撮影中の静止画の記録には枚数に制限があることを直感的に把握することができる。また、ユーザは、撮影可能枚数表示アイコン１０２の数から、最大の撮影可能枚数が３枚であることも把握することができる。
【０１２０】
さらに、静止画記録ボタンを深押しする静止画の撮影操作を行った後には、動画の記録を終了するまで、撮影可能枚数表示アイコン１０２が例えばオレンジ色で表示されるため、ユーザは、その表示から、静止画の記録のための原信号が保持され続けていることを把握することができる。
【０１２１】
また、動画の撮影を終了した後には、インジケータ１０３やメッセージ１１４が表示されるとともに、ディスプレイ６２の全面には生成済みの静止画が順次表示されるため、ユーザは、静止画の処理が行われていることを把握することができる。
【０１２２】
図１０は、撮影装置１の状態がスタンバイ状態にある場合に静止画の撮影が指示されたときのディスプレイ６２に表示される画面の具体例を示す図である。
【０１２３】
スタンバイ状態にあるとき、記録媒体Ｂの容量が一杯になるまで静止画を連続して記録することが可能とされる。
【０１２４】
図１０の左端に示される画面はスタンバイ状態の画面である。スタンバイ状態にあるとき、ディスプレイ６２には取り込み画像が表示される。
【０１２５】
図１０の左端の画面が表示されている状態で、撮影装置１の筐体表面に設けられている静止画記録ボタンをユーザが半押ししたとき、白抜き矢印Ａ1の先に示されるように、ディスプレイ６２には、それまで表示されていた各種の情報に加えて、静止画の撮影に関する情報が表示される。
【０１２６】
図１０の白抜き矢印Ａ1の先に示される画面においては、静止画の撮影に関する情報として、静止画の記録先のフォルダを表すアイコン１１１、記録される静止画の画質を表すアイコン１１２、および記録先表示アイコン１０１が表示されている。記録先表示アイコン１０１の隣には「１９」の数字が表示され、残りの撮影可能枚数が１９枚とされている。
【０１２７】
また、アイコン１１２の下にはフォーカスのロックがかかったことを表すフォーカスアイコン１２１が表示される。このように、スタンバイ状態にあるときの静止画の撮影時にはオートフォーカス機能が有効とされる。
【０１２８】
白抜き矢印Ａ1の先に示される画面が表示されている状態（静止画記録ボタンを半押ししている状態）でユーザが静止画記録ボタンを深押ししたとき、白抜き矢印Ａ2の先に示されるように、ディスプレイ６２には黒画が一瞬だけ表示され、これによりシャッターが降り、静止画の撮影が行われたことが表される。
【０１２９】
黒画が表示されたとき、白抜き矢印Ａ3の先に示されるように、記録先表示アイコン１０１の隣にはインジケータ１０３が表示され、これにより、記録媒体Ｂに静止画を記録することが行われていることが表される。また、ディスプレイ６２の全面には、記録された静止画が表示される。
【０１３０】
静止画の記録が終了したとき、白抜き矢印Ａ4の先に示されるように、ディスプレイ６２の全面には取り込み画像が再度表示され、記録先表示アイコン１０１の隣には残りの撮影可能枚数を表す数字が表示される。図１０の白抜き矢印Ａ4の先に示される画面においては、残りの撮影可能枚数は１８枚とされており、静止画の撮影が１回だけ行われた分、それまで可能とされていた枚数から１だけ数が減った形で表示されている。
【０１３１】
このように、スタンバイ状態にある場合と動画の撮影中の場合とで、静止画の撮影を指示したときの画面表示はそれぞれ異なるものとなる。
【０１３２】
なお、以上においては、メモリ７４には３枚の静止画の分の原信号を退避させておくことができるものとしたが、この場合、例えば、１回の動画の撮影中に静止画の撮影が４回以上指示されたときには、それぞれの指示が行われる毎に、ディスプレイ６２には図１１に示されるようなメッセージ１３１が表示される。
【０１３３】
図１１の例においては、「動画録画中の静止画記録可能枚数を超えました。録画中はメモリカードを抜かないで下さい」のメッセージが表示され、これにより、静止画の撮影が３枚以上できないことがユーザに通知される。
【０１３４】
また、以上においては、静止画の記録先はメモリカードであり、ディスプレイ６２に表示される記録先表示アイコン１０１はメモリカードを表すものとしたが、例えば、記録媒体Ａが静止画を記録することができるDVDなどの記録媒体である場合、ユーザは静止画の記録先としてDVD（記録媒体Ａ）とメモリカード（記録媒体Ｂ）のうちの一方を選択することができ、このとき、ユーザによりあらかじめ選択された記録先に応じて、記録先表示アイコン１０１の表示は切り替えられる。
【０１３５】
図１２は、記録先表示アイコン１０１の例を示す図である。
【０１３６】
図１２Ａは、撮影装置１に装着されたメモリカードを静止画の記録先とすることが指示されている場合の記録先表示アイコン１０１の例を示す図であり、図１２Ｂは、撮影装置１に装着されたDVDを静止画の記録先とすることが指示されている場合の記録先表示アイコン１０１の例を示す図である。記録媒体ＡとしてのDVDに静止画を記録する場合、静止画処理部１５により生成され、メモリ７４に一時的に保存された静止画のデータは動画処理部１４に供給され、記録される。
【０１３７】
次に、撮影装置１の処理についてフローチャートを参照して説明する。
【０１３８】
はじめに、図１３のフローチャートを参照して、撮影装置１の全体の処理（メイン処理）について説明する。この処理は、例えば撮影装置１の電源が入れられ、スタンバイ状態にあるときに開始される。
【０１３９】
ステップＳ１において、撮影装置１のシステム制御回路８１は、動画の記録を開始することがユーザにより指示されたか否かを判定し、指示されたと判定するまで待機する。
【０１４０】
動画記録ボタンがユーザにより押されたことから、ステップＳ１において、動画の記録を開始することが指示されたと判定した場合、システム制御回路８１は、ステップＳ２に進み、動画処理を行う。ここで行われる動画処理により、撮像部１２の出力である原信号に対して動画用の処理が施され、動画符号化データが取得される。動画処理の詳細については図１４のフローチャートを参照して後述する。
【０１４１】
ステップＳ３において、動画処理部１４の動画圧縮処理回路４１は、動画処理により得られた動画符号化データを記録媒体Ａに記録させる。
【０１４２】
ステップＳ４において、システム制御回路８１は、静止画を記録することがユーザにより指示されたか否かを判定し、静止画記録ボタンが押されたことから、静止画を記録することが指示されたと判定した場合、ステップＳ５に進み、原信号保存処理を行う。ここで行われる原信号保存処理により、撮像部１２の出力である原信号がメモリ７４に一時的に記録される。原信号保存処理の詳細については図１５のフローチャートを参照して後述する。
【０１４３】
一方、システム制御回路８１は、ステップＳ４において、静止画の記録が指示されていないと判定した場合、ステップＳ５をスキップする。
【０１４４】
ステップＳ６において、システム制御回路８１は、動画の記録を終了することがユーザにより指示されたか否かを判定し、指示されていないと判定した場合、ステップＳ２に戻り、それ以降の処理を繰り返し実行する。
【０１４５】
システム制御回路８１は、ステップＳ６において、動画記録ボタンがユーザにより押され、動画の記録を停止することが指示されたと判定した場合、ステップＳ７に進み、動画の記録を終了させる。
【０１４６】
ステップＳ８において、システム制御回路８１は、静止画の記録を行うか否かを判定し、それまで行っていた動画の記録の最中に静止画の記録が指示されていなかった場合、静止画の記録を行わないと判定し、ステップＳ１に戻り、それ以降の処理を繰り返し実行する。
【０１４７】
一方、システム制御回路８１は、それまで行っていた動画の記録の最中に静止画の記録が指示されており、メモリ７４に原信号が記録されている場合、ステップＳ８において、静止画の記録を行うと判定し、ステップＳ９に進み、静止画記録処理を行う。ここで行われる静止画記録処理により、原信号に基づく静止画の生成が行われ、生成された静止画が記録媒体Ｂに記録される。静止画記録処理の詳細については図１６のフローチャートを参照して後述する。
【０１４８】
静止画記録処理が終了したときも、処理はステップＳ１に戻り、それ以降の処理が行われる。
【０１４９】
次に、図１４のフローチャートを参照して、図１３のステップＳ２において行われる動画処理について説明する。
【０１５０】
ステップＳ１１において、システム制御回路８１は、動画用のパラメータを画像処理部１３の各部に設定し、ステップＳ１２に進み、撮像部１２の出力である原信号に対して、画像処理部１３の各部に動画用の処理を行わせる。
【０１５１】
ステップＳ１３において、システム制御回路８１は、動画処理部１４を制御し、画像処理部１３の処理結果に対して符号化を行わせる。その後、図１３のステップＳ２に戻り、それ以降の処理が行われる。
【０１５２】
次に、図１５のフローチャートを参照して、図１３のステップＳ５において行われる原信号保存処理について説明する。
【０１５３】
ステップＳ２１において、システム制御回路８１は、原信号を保存するための空き領域がメモリ７４にあるか否かを判定し、空き領域がないと判定した場合、例えば、これ以上の静止画の撮影を行うことができないことを通知するメッセージをディスプレイ６２に表示させ、処理を終了させる。その後、図１３のステップＳ５に戻り、それ以降の処理が行われる。
【０１５４】
一方、システム制御回路８１は、ステップＳ２１において、原信号を保存するための空き領域がメモリ７４にあると判定した場合、ステップＳ２２に進み、原信号を圧縮するか否かを判定する。
【０１５５】
ステップＳ２２において、原信号を圧縮すると判定した場合、システム制御回路８１は、ステップＳ２３に進み、スイッチ７１を接続状態にするとともに、スイッチ７２を端子ｂに接続させる。これにより、原信号圧縮処理回路７５により圧縮された原信号がメモリ７４に供給されることになる。
【０１５６】
一方、ステップＳ２２において、原信号を圧縮しないと判定した場合、システム制御回路８１は、スイッチ７１を接続状態にするとともに、スイッチ７２を端子ａに接続させ、ステップＳ２３をスキップする。これにより、撮像部１２から出力された、非圧縮の原信号がそのままメモリ７４に供給されることになる。
【０１５７】
ステップＳ２４において、システム制御回路８１は、メモリI/F７３を制御し、原信号（圧縮済み、または非圧縮の原信号）をメモリ７４に保存させる。これにより、メモリ７４に形成された領域Ｂ1乃至Ｂ3のいずれかの領域に原信号が記録される。
【０１５８】
ステップＳ２５において、システム制御回路８１は動画の撮影の条件をメモリ８２に保存させる。例えば、システム制御回路８１は、絞り値やズーム位置などの、図１３のステップＳ２において開始され、いま行われている動画の撮影の条件を、ステップＳ２４で保存された原信号と一意に関連付けてメモリ８２に保存させる。その後、図１３のステップＳ５に戻り、それ以降の処理が行われる。
【０１５９】
次に、図１６のフローチャートを参照して、図１３のステップＳ９において行われる静止画記録処理について説明する。
【０１６０】
ステップＳ４１において、システム制御回路８１は、保存させていた撮影条件をメモリ８２から読み出し、それを参照して決定された静止画用のパラメータを画像処理部１３の各部に設定する。このとき、動画の撮影は既に終了しているため、画像処理部１３において行われる処理を静止画専用の処理に切り替えることが可能となる。
【０１６１】
ステップＳ４２において、システム制御回路８１は、メモリ７４に記録させていた原信号が圧縮されているか否かを判定し、圧縮されていると判定した場合、ステップＳ４３に進む。
【０１６２】
ステップＳ４３において、システム制御回路８１は、スイッチ７２を端子ｂに接続させることによってメモリ７４に記録されている原信号を原信号圧縮処理回路７５に供給させ、圧縮されている原信号の解凍を行わせる。
【０１６３】
一方、システム制御回路８１は、ステップＳ４２において、メモリ７４に記録させていた原信号が圧縮されていないと判定した場合、ステップＳ４３をスキップし、ステップＳ４４に進む。
【０１６４】
ステップＳ４４において、システム制御回路８１は、メモリ７４に記録させていた原信号を読み出させ、画像処理部１３に供給させる。これにより、メモリ７４に記録させていた非圧縮の原信号がスイッチ７２，７１を介して画像処理部１３に供給される。また、圧縮され、原信号圧縮処理回路７５により解凍（伸張）された原信号がスイッチ７１を介して画像処理部１３に供給される。
【０１６５】
ステップＳ４５において、システム制御回路８１は、一時的に記録させていた原信号に対して、画像処理部１３の各部に静止画用の処理を行わせる。
【０１６６】
ステップＳ４６において、システム制御回路８１は、静止画圧縮回路５２を制御して静止画を符号化させる。静止画圧縮回路５２により生成された静止画符号化データは、メモリI/F７３によりメモリ７４に供給され、一時的に記録される。
【０１６７】
ステップＳ４７において、システム制御回路８１は、全ての静止画の処理を終了したか否かを判定し、終了していないと判定した場合、ステップＳ４１に戻り、それ以降の処理を繰り返し実行する。
【０１６８】
一方、システム制御回路８１は、ステップＳ４７において、全ての静止画の処理を終了したと判定した場合、ステップＳ４８に進み、メモリ７４に記録させておいた静止画符号化データを記録媒体Ｂに転送させ、記録させる。これにより、原信号に基づいて生成された全ての静止画が一括して記録媒体Ｂに記録される。例えば、メモリ７４に記録されていた原信号が消去された後、図１３のステップＳ９以降の処理が行われる。
【０１６９】
なお、静止画の記録先として記録媒体ＡであるDVDが選択されている場合、原信号に基づいて生成された全ての静止画は一括して記録媒体Ａに転送され、記録される。
【０１７０】
次に、図１７のフローチャートを参照して、ディスプレイ６２の表示を制御する撮影装置１の処理について説明する。この処理は、動画の撮影が開始されたとき（図１３のステップＳ１において動画の記録開始が指示されたと判定されたとき）に、以上の処理と並行して行われる。なお、動画の撮影が開始されるまでのスタンバイ状態にあるとき、ディスプレイ６２には取り込み画像が表示される。
【０１７１】
ステップＳ６１において、システム制御回路８１は、表示制御回路６１を制御し、解像度変換回路３３から供給されるデータに基づいて取り込み画像を表示させるとともに、取り込み画像に重ねて、記録先表示アイコン１０１と撮影可能枚数表示アイコン１０２を並べてディスプレイ６２に表示させる。すなわち、ここでは、図８の左端に示されるような画面が表示される。
【０１７２】
ステップＳ６２において、システム制御回路８１は、静止画の記録が指示されたか否か（静止画記録ボタンの半押しに続けて深押しが指示されたか否か）を判定し、指示されたと判定した場合、ステップＳ６３に進み、原信号を保存させるためのメモリ７４の空き領域があるか否かを判定する。
【０１７３】
システム制御回路８１は、ステップＳ６３において、空き領域があると判定した場合、ステップＳ６４に進み、「CAPTURE」の文字を記録先表示アイコン１０１と撮影可能枚数表示アイコン１０２の上に表示させる。このとき、原信号をメモリ７４に退避させる図１５の処理が行われる。
【０１７４】
原信号の退避が終了したとき、ステップＳ６５において、システム制御回路８１は、撮影可能枚数表示アイコン１０２の色を変えて表示させ、ステップＳ６７に進む。
【０１７５】
一方、ステップＳ６２において静止画の記録が指示されていないと判定された場合、または、ステップＳ６３において空き領域がないと判定され、ステップＳ６６において静止画の撮影をすることができないことを通知する図１１に示されるようなメッセージ１３１を表示させた後も同様に、システム制御回路８１は、ステップＳ６７に進み、それ以降の処理を行う。
【０１７６】
ステップＳ６７において、システム制御回路８１は、動画の記録を終了することが指示されたか否かを判定し、指示されていないと判定した場合、ステップＳ６２に戻り、以上の処理を繰り返す。ディスプレイ６２には、図８の左端に示される画面が表示され続ける。
【０１７７】
システム制御回路８１は、ステップＳ６７において、動画の記録を終了することが指示されたと判定した場合、ステップＳ６８に進み、原信号がメモリ７４に保存されているか否かを判定する。
【０１７８】
ステップＳ６８において、システム制御回路８１は、原信号がメモリ７４に保存されていると判定した場合、ステップＳ６９に進み、インジケータ１０３を記録先表示アイコン１０１の隣に表示させる。また、システム制御回路８１は、静止画の処理が行われていることを表すメッセージ１１４（図９）を画面の中央に表示させる。
【０１７９】
このとき、メモリ７４に保存させていた原信号に基づいて静止画を生成し、記録媒体Ｂなどに記録する図１６の処理が行われ、その間、生成済みの静止画が順次表示されるとともに、図７を参照して説明したようなインジケータ１０３の表示が繰り返される。静止画の記録が終了した後、ディスプレイ６２には、図９の右側に示されるような取り込み画像が表示される。
【０１８０】
一方、ステップＳ６８において原信号が記録されていないと判定された場合も、ディスプレイ６２には、図９の右側に示されるような取り込み画像が表示される。
【０１８１】
以上の処理が行われることにより、ユーザは、静止画の生成の元になる画像データが退避され、退避された画像データに基づいて静止画の記録が行われることなどについて、動画の撮影中に、直感的に把握することができる。
【０１８２】
以上においては、原信号を退避させるとき、原信号が記録されるメモリ７４とは異なるメモリ８２に撮影条件が記録されるものとしたが、原信号とともにメモリ７４に撮影条件が記録されるようにしてもよい。また、記録される撮影条件として、上述したもの以外の、静止画用の処理を規定するパラメータを決定するときに基準とすることのできる他の様々な情報が記録されるようにしてもよい。
【０１８３】
また、以上においては、動画の撮影を終了することがユーザにより指示され、それによって動画の処理が休止しているタイミングで静止画の処理が行われるものとしたが、例えば、動画の撮影が一時停止の状態にあるときなどのように、画像処理部１３によって動画の処理が行われていないタイミングであれば、どのタイミングで行われるようにしてもよい。
【０１８４】
さらに、以上においては、メモリ７４には３枚の静止画の分の原信号を保存させておくことができるものとしたが、その枚数は３枚に限られるものではなく、容量が十分にある場合、さらに多くの静止画の分の原信号を保存させておくことができるようにしてもよい。これにより、ユーザは、１回の動画の撮影中に４枚以上の静止画を撮影することができる。
【０１８５】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１８６】
図１８は、上述した一連の処理をプログラムにより実行するパーソナルコンピュータの構成の例を示すブロック図である。CPU(Central Processing Unit)２０１は、ROM(Read Only Memory)２０２、または記憶部２０８に記憶されているプログラムに従って各種の処理を実行する。RAM(Random Access Memory)２０３には、CPU２０１が実行するプログラムやデータなどが適宜記憶される。これらのCPU２０１、ROM２０２、およびRAM２０３は、バス２０４により相互に接続されている。
【０１８７】
CPU２０１にはまた、バス２０４を介して入出力インターフェース２０５が接続されている。入出力インターフェース２０５には、キーボード、マウス、マイクロホンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。
【０１８８】
入出力インターフェース２０５に接続されている記憶部２０８は、例えばハードディスクからなり、CPU２０１が実行するプログラムや各種のデータを記憶する。通信部２０９は、インターネットやローカルエリアネットワークなどのネットワークを介して外部の装置と通信する。
【０１８９】
入出力インターフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【０１９０】
コンピュータにインストールされ、コンピュータによって実行可能な状態とされるプログラムを格納するプログラム記録媒体は、図１８に示すように、磁気ディスク（フレキシブルディスクを含む）、光ディスク（CD-ROM(Compact Disc-Read Only Memory)，DVDを含む）、光磁気ディスク、もしくは半導体メモリなどよりなるパッケージメディアであるリムーバブルメディア２１１、または、プログラムが一時的もしくは永続的に格納されるROM２０２や、記憶部２０８を構成するハードディスクなどにより構成される。プログラム記録媒体へのプログラムの格納は、必要に応じてルータ、モデムなどのインターフェースである通信部２０９を介して、ローカルエリアネットワーク、インターネット、デジタル衛星放送といった、有線または無線の通信媒体を利用して行われる。
【０１９１】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１９２】
【図１】本発明の一実施形態に係る撮影装置の構成例を示すブロック図である。
【図２】図１のメモリに形成される領域の例を示す図である。
【図３】システム制御回路の動作の例を示す図である。
【図４】システム制御回路により制御される画面表示の例を示す図である。
【図５】アイコンの例を示す図である。
【図６】アイコンの表示の遷移の例を示す図である。
【図７】インジケータの表示の遷移の例を示す図である。
【図８】ディスプレイの表示の具体例を示す図である。
【図９】ディスプレイの表示の具体例を示す他の図である。
【図１０】ディスプレイの表示の具体例を示すさらに他の図である。
【図１１】メッセージの例を示す図である。
【図１２】アイコンの他の例を示す図である。
【図１３】撮像装置のメイン処理について説明するフローチャートである。
【図１４】図１３のステップＳ２において行われる動画処理について説明するフローチャートである。
【図１５】図１３のステップＳ５において行われる原信号保存処理について説明するフローチャートである。
【図１６】図１３のステップＳ９において行われる静止画記録処理について説明するフローチャートである。
【図１７】表示制御処理について説明するフローチャートである。
【図１８】パーソナルコンピュータの構成例を示すブロック図である。
【符号の説明】
【０１９３】
１  撮影装置，  １２  撮像部，  １３  画像処理部，  １４  動画処理部，  １５  静止画処理部，  １６  表示部，  １７  記録部，  １８  制御部，  ７３  メモリI/F，  ７４  メモリ，  ７５  原信号圧縮処理回路，  ７６  記録媒体，  ８１  システム制御回路，  ８２  メモリ，  １０１  記録先表示アイコン，  １０２  撮影可能枚数表示アイコン，  １０３  インジケータ
【図１】
0004441882.tif 000002
【図２】
0004441882.tif 000003
【図３】
0004441882.tif 000004
【図４】
0004441882.tif 000005
【図５】
0004441882.tif 000006
【図６】
0004441882.tif 000007
【図７】
0004441882.tif 000008
【図８】
0004441882.tif 000009
【図９】
0004441882.tif 000010
【図１０】
0004441882.tif 000011
【図１１】
0004441882.tif 000012
【図１２】
0004441882.tif 000013
【図１３】
0004441882.tif 000014
【図１４】
0004441882.tif 000015
【図１５】
0004441882.tif 000016
【図１６】
0004441882.tif 000017
【図１７】
0004441882.tif 000018
【図１８】
0004441882.tif 000019